(57)【特許請求の範囲】
【請求項１】
紐状体の一端がゴルフクラブのヘッドに着脱可能に取り付けられ、他端がアドレス時のボールの位置に相当する位置に配置されて、前記ゴルフクラブのヘッドの移動に伴い前記紐状体が描く軌道を確認してスイングプレーンに沿った基本的なスイングをマスターするためのゴルフクラブのスイング軌道練習用具であって、
前記紐状体を巻装して前記ゴルフクラブのヘッドの移動により一端側から繰り出し可能に軸支されたリールと、
前記繰り出された紐状体を前記リールに巻き取る巻取手段と、
前記繰り出された紐状体のスイングアークの長さを表示する表示手段と、
を具備するとともに、
前記リール、前記巻取手段及び前記表示手段は一つの箱体内に装着され、
前記巻取手段は、一端が前記リールの支軸に固定され他端が前記箱体に固定されたぜんまいばねからなり、前記表示手段は、前記スイングアークの長さをディジタル表示するディジタルカウンターからなることを特徴とする、ゴルフクラブのスイング軌道練習用具。
【請求項２】
前記箱体は、携帯用の把手をさらに備えていることを特徴とする請求項１に記載のゴルフクラブのスイング軌道練習用具。
【請求項３】
前記箱体は、少なくとも前記アドレス時のボールの位置に至るまで延設されたマットを具備していることを特徴とする請求項２に記載のゴルフクラブのスイング軌道練習用具。
【請求項４】
前記リールの支軸には、該リールの回転に伴い音を発する発音部材が設けられていることを特徴とする請求項１乃至３のいずれかに記載のゴルフクラブのスイング軌道練習用具。
【請求項５】
前記紐状体が描く軌道の位置を確認する部材を、前記ゴルフクラブのグリップの長手方向に移動可能に設けたことを特徴とする請求項１乃至請求項４のいずれかに記載のゴルフクラブのスイング軌道練習用具。
【請求項６】
紐状体の一端を前記ゴルフクラブのヘッドに着脱可能に取り付け、他端をアドレス時のボールの位置に相当する位置に配置し、前記ゴルフクラブのヘッドの移動に伴い前記紐状体が描く軌道を確認してスイングプレーンに沿った基本的なスイングをマスターするようにしたゴルフクラブのスイング軌道練習方法であって、前記紐状体を回転自在に軸支されたリールに巻装して前記ゴルフクラブのヘッドの移動により一端側から繰り出し可能とすると共に、該繰り出した紐状体のスイングアークの長さを表示手段により表示するようにしておき、軌道練習に際し、該練習者の身長及び用いるゴルフクラブの長さに対する前記スイングアークの長さをショット毎に前記表示手段より読み取ってデータ化し、該データに基づき最適なスイング軌道をマスターすることを特徴とするゴルフクラブのスイング軌道練習方法。
【請求項７】
前記スイングアークの長さは、トップオブスイングアーク及びフィニッシュスイングアークの長さであることを特徴とする請求項６に記載のゴルフクラブのスイング軌道練習方法。
【発明の詳細な説明】
【０００１】
【発明の属する技術分野】
本発明は、ゴルフクラブの基本的なスイング軌道をマスターするためのスイング軌道練習用具及び該練習用具を用いたスイング軌道練習方法に関する。
【０００２】
【従来の技術】
ゴルフショットの理想は、自分の狙った方向へボールを正確に飛ばし、目標の至近距離へボールを近づけることであるため、練習に際しては、先ず、ボールを正確に打つための基本技術をマスターする必要がある。ところで、このショットには複数の種類があるが、どのようなショットをするにも共通する基本は、グリップ（クラブの握り方）、スタンス（体の構え方）及びスイング（クラブの振り方）の三つであり、正確なグリップとスタンスを土台にして、いつも同じスイングができるようになれば、自ずと飛球方向が安定してくるものである。しかしながら、これらの三つの基本のうち、グリップ及びスタンスについてはその位置、すなわちクラブを握る手（指先）の位置や足（爪先）の位置をプレイヤー自身で目視し、認識できるのに対し、スイングについてはこれができないため、自分に最適なスイング軌道をマスターすることはなかなか困難である。
【０００３】
ところで、このゴルフクラブのスイングは、アドレスからバックスイングを経てトップオブスイングに至る円弧（トップオブスイングアーク）運動と、このトップオブスイングから遠心力を利用したダウンスイングによる大きな力でボールを打ち（インパクト）、そのまま振り抜くフォロースルーを経てフィニッシュに至る円弧（フィニッシュスイングアーク）運動とからなる。このトップオブスイングアークの長さ、すなわちアドレス位置からトップ位置までの長さと、フィニッシュスイングアークの長さ、すなわちインパクト位置からフィニッシュ位置までの長さとは基本的には同であって、両者を合わせると一つの円となり、クラブヘッドにより円軌道が描かれる。
【０００４】
そして、上述したアドレス時において、クラブフェイスをボールに直角に構えてから、上述した一連のスイングにおけるクラブヘッドの描く円軌道の最低点がボールの位置と一致するスイングの場合に、ボールを目標に向かって正確に飛ばすことができる。なお、このようなスイング時にクラブヘッドが描く円軌道によって作られる面はスイングプレーンと呼ばれている。
【０００５】
上述したトップオブスイングから遠心力を利用したダウンスイングに入り、インパクトに至る動作は非常に速く、したがって、ダウンスイングのクラブヘッドの軌道は、クラブフェイスを整えたアドレスからバックスイングを経てトップオブスイングに至るクラブヘッドの描く円弧状の軌道、つまりトツプオブスイングアークが重要な要素となっている。このダウンスイングはトップオブスイングからの自然な振り下ろし動作であり、またフォロースルーもダウンスイングからのインパクトを経た自然の振り抜き動作ということができる。
【０００６】
なお、上述したバックスイング時のクラブヘッドの軌道がスイングプレーンの外側、つまり体より遠い領域を通るときは、インパクトにおいてボールに右回転のスピンがかかり、打球は右へカーブするスライスボールとなり、またスイングプレーンの内側、つまり体に近い領域を通るときは、インパクトにおいてボールに左回転のスピンがかかり、打球は左へカーブするフックボールとなる。
【０００７】
このように、スイングによりボールを目標点に向かって正確に打つためには、自分にとって最適なスイングプレーンと、このスイングプレーンに沿ったスイングアークの長さ、すなわちクラブヘッドのトップ位置及びフィニッシュ位置、をしっかりと覚え、常に安定したフォームでスイングをすることが重要である。ところが、上述したスイングプレーンは種類の異なる（従って長さの異なる）どのクラブでスイングをしても基本的には同じであるのに対し、スイングアークの長さは用いるクラブの種類により異なるため、ボールを正確に目標点に飛ばすには、自分にとって最適なスイングプレーンを描くフォームをマスターすると共に、クラブの種類毎に異なるスイングアークの長さについても、その最適値を練習により知得しておく必要がある。
【０００８】
【発明が解決しようとする課題】
しかしながら、上述したように、スイングについては自らの目で見ることができないために、現在の自分のスイングが最適なスイングプレーンに沿って振られているか否か、また、そのときのスイングアークの長さは常に一定しているか否かを確認することができず、このため、初心者は確信の持てない状態でスイングの軌道練習をしているのが一般的であり、スイングの基本技術はなかなかマスターすることができないのが実情であった。
【０００９】
なお、自分のスイングフォームにつきインストラクターや熟練者から指導を受けたり、あるいはビデオに撮って再現して見るなどによりマスターすることも実際に行われているが、いずれも定性的かつ客観的な評価による練習方法であるため、自分にとって最適なスイングフォームを実感しながら体得することは難しかった。
【００１０】
上記の実情に鑑み、本発明者は、特願平１０−１５４０４（特開平１１−２０６９４１）として、「紐状体の一端をゴルフクラブのヘッドに着脱可能に取り付けてスイングプレーンに沿ったスイングをマスターする練習用具及びその練習方法」、さらに詳細には、「紐状体の一端をゴルフクラブのヘッドに着脱可能に取り付けて、他端をアドレス時のボールの位置に相当する位置に配置すると共に、スイングプレーンの模擬的位置を表示した検知部材をゴルフクラブのグリップに着脱可能に取り付け、前記ゴルフクラブヘッドの移動に伴い前記紐状体が描く軌道の位置を前記検知部材により確認することによりスイングプレーンに沿った基本的なスイングをマスターするようにしたゴルフクラブのスイング軌道練習用具及びその用具を用いた軌道練習方法」を要旨とする発明を提案した。
【００１１】
この発明によれば、自分のスイングがスイングプレーンに対してどのように振られているかを自らの目で確認しながら練習ができるので、スイングプレーンに沿った基本的なスイングをマスターすることができ、ボールを目標に向かって正確に飛ばすという基本に近づくことができる。
【００１２】
しかしながら、この提案は、上述したスイングの重要な要素のうちのスイングプレーンに係るものであって、スイングアークについての提案ではなかったため、このスイングアークをも加味したスイング軌道の練習用具及びこの用具を用いたスイング軌道の練習方法に関する提案が強く望まれていた。
【００１３】
本発明は、上述の事情からなされたものであり、その目的は、練習をする者が自分にとって最適なスイングプレーンを認識しつつ、このスイングプレーンに沿った最適なスイングアークの長さを視覚的に捉えることができ、これにより常に安定したスイングフォームをマスターすることができるゴルフクラブのスイング軌道練習用具及び該練習用具を用いたスイング軌道練習方法を提供することにある。
【００１４】
【課題を解決するための手段】
本発明は、紐状体の一端がゴルフクラブのヘッドに着脱可能に取り付けられ、他端がアドレス時のボールの位置に相当する位置に配置されて、前記ゴルフクラブのヘッドの移動に伴い前記紐状体が描く軌道を確認してスイングプレーンに沿った基本的なスイングをマスターするためのゴルフクラブのスイング軌道練習用具に係るものであって、本発明の上記目的は、前記紐状体を巻装して前記ゴルフクラブのヘッドの移動により一端側から繰り出し可能に軸支されたリールと、前記繰り出された紐状体を前記リールに巻き取る巻取手段と、前記繰り出された紐状体のスイングアークの長さを表示する表示手段とを具備するとともに、前記リール、前記巻取手段及び前記表示手段は一つの箱体内に装着され、前記巻取手段は、一端が前記リールの支軸に固定され他端が前記箱体に固定されたぜんまいばねからなり、前記表示手段は、前記スイングアークの長さをディジタル表示するディジタルカウンターからなることを特徴とする、ゴルフクラブのスイング軌道練習用具によって達成される。
【００１５】
また、本発明の上記目的は、前記紐状体を回転自在に軸支されたリールに巻装して前記ゴルフクラブのヘッドの移動により一端側から繰出し可能とすると共に、該繰出した紐状体のスイングアークの長さを表示手段により表示するようにしておき、軌道練習に際し、該練習者の身長及び用いるゴルフクラブの長さに対する前記スイングアークの長さをショット毎に前記表示手段より読み取ってデータ化し、該データに基づき最適なスイング軌道をマスターすることを特徴とするゴルフクラブのスイング軌道練習方法によって達成される。以下、本発明の詳細を実施例に基づき説明する。
【００１６】
【発明の実施の形態】
図１は、本発明の一実施形態に係るスイング軌道練習用具、及びこの用具を用いたスイング軌道練習方法を説明するための斜視図であって、練習者Ｍがゴルフクラブ（以下「クラブ」という）１０を振り上げ、スイング軌道練習用具（以下「練習具」という）２０の前方のティーＴ上に置かれたゴルフボール（以下「ボール」という）Ｂを打とうとしている様子を示したものである。なおＰはクラブヘッド１１により描かれるスイングプレーンを示している。図示するように、クラブヘッド１１は、現在、アドレス位置Ｐ０からバックスイング位置Ｐ１を経てトップ位置Ｐ２にあり、次に、スイングプレーンＰに沿ってダウンスイング位置Ｐ３、インパクト位置Ｐ４、及びフォロースルー位置Ｐ５を経てフィニッシュ位置Ｐ６に移動し、一連のスイング運動を終了する。上述したように、この一連のスイングにおいて、クラブヘッド１１が位置Ｐ０から位置Ｐ２に至る過程で描く円弧の長さがトップオブスイングアークの長さであり、位置Ｐ４からＰ６に至る過程で描く円弧の長さがフィニッシュスイングアークの長さである。
【００１７】
図２（ａ）は、本スイングの軌道練習に用いられるクラブ１０の構造をウッドクラブを例に示したものである。このクラブ１０はクラブヘッド１１、フェイス１２、カラー１３、シャフト１４、ステップ１５、グリップ１６からなる従来のクラブにおいて、そのグリップ１６部分にスイングプレーンＰの模擬的位置を示す検知部材１７が装着されている。この検知部材１７は、構成に関する下記の点を除き、前記出願で公知のスイングプレーンＰをマスターするために用いられるスイング軌道練習具と実質的に同一なものである。
【００１８】
すなわち、この検知部材１７は、図２（ｂ）に右側面図で、また図２（ｃ）には平面図で示すように、蝶ねじ１７ａによりホルダー１７ｂがクラブ１０のグリップ１６に着脱可能かつ長手方向に移動可能に装着され、このホルダー１７ｂには弧状の帯状部材１７ｃがグリップ１６の長手方向に沿って設けられ、この帯状部材１７ｃには後述する紐状体の位置を示す目盛板１７ｄが長手方向と直交する方向に固着されて成っている。このように、目盛板１７ｄの位置及び向きは、蝶ねじ１７ａを調節することにより、練習者Ｍの手の大きさやグリップ１６の握り方、あるいはクラブ１０の構え方等により任意に変えられるようになっている。
【００１９】
図３（ａ）は上述した練習具２０の斜視図であり、図３（ｂ）はその内部構造を示す図３（ａ）のＡ−Ａ断面図、また図３（ｃ）はその側面図である。この練習具２０は携帯可能な箱体２１から成るもので、箱体２１の上方傾斜壁２１ａには表示窓２２が設けられ、前壁２１ｂの略中央部には透孔２３が開けられ、両側壁２１ｃにはブラケット２４が回動自在に軸支され、このブラケット２４により携帯用の把手２５が挟持され、さらに、底壁２１ｄには人工芝製のマット２６が前壁２１ｂの前方に延びて設けられている。このマット２６は、練習時には図３（ａ）に示すように、ティーＴを介してボールＢがセットされるように展開され、練習が終了した後には、図３（ｃ）で点線で示すように、その先端部が箱体２１の上部と把手２５との間を通して箱体２１の背部に設けられたストッパー２１ｅに固定されて携帯に便利な状態に収納される。展開されたマット２６の上面には紐状体２８が透孔２３から繰り出される。なお、紐状体２８の先端には箱体２１内部にこの先端が巻き込まれることを防止するストッパー２９が結び付けられている。この紐状体２８には、ある程度の太さ及び強度を有し、かつ色彩的にも練習者Ｍの視覚に訴える目立つ色の紐、例えば、太さが数ｍｍあり全長に渡りオレンジ色に着色されたビニール製の紐等が用いられ、その長さは、練習者Ｍの身長、あるいは用いるクラブの長さにより異なるものの、理想的には、バックスイングで両腕が地面に略水平になった状態で透孔２３から緊張する程度であることが望ましい。この紐状体２８は、その先端をストッパー２９と共にクラブヘッド１１の底部又は側部に粘着テープ等により着脱可能に取り付けられ、クラブヘッド１１の移動に伴い透孔２３から繰り出されるようになっている。
【００２０】
箱体２１の内部には、図３（ｂ）に示すように、紐状体２８を巻装したリール３０が固定ピン３１、支軸３２を介して軸受３３に支持され、回転自在に設けられている。紐状体２８はその終端がこのリール３０の外周面に結合されて所定の長さだけ巻き取られている。
【００２１】
この支軸３２には、紐状体２８をリール３０に巻き取るためのぜんまいばね３４が装着されている。すなわち、このぜんまいばね３４は、図４に図３（ｂ）のＢ−Ｂ断面矢視図で示すように、その内側端部がピン３５により支軸３２に固定され、その外側端部が固定部材３６により箱体２１の底壁２１ｄに固定されていて、クラブヘッド１１の移動により紐状体２８が繰り出され、リール３０が回転されると、次第に巻き締めされ、紐状体２８の緊張が解除されると、ばねの復元力により支軸３２を介してリール３０を巻取方向に回転させるように構成されている。
【００２２】
また、支軸３１には、リール３０の回転に伴い音を発するためのカムローラ３８が装着されている。このカムローラ３８は、図５に図３（ｂ）のＣ−Ｃ断面矢視図で示すように、ピン３７により支軸３２に固定され、この下方には板ばね３９がピン４０により底壁２１ｄに固定されていて、カムローラ３８の突状のカム部３８ａに当接するように構成されている。この構成により、リール３０の回転に同期してカムローラ３８が一回転するたびにカム部３８ａが板ばね３９を弾いて音が発せられる。練習者はこの音を聞くことによりバックスイング時にタイミングを取ることができ、また、この音数をカウントすることにより、透孔２３から繰出される紐状体２８の長さ、すなわちトップオブスイングアークの長さを知ることができる。
【００２３】
さらにまた、箱体２１の内部の上方には、上述した紐状体２８の繰出し長さをディジタル表示するディジタルカウンター４１が設けられている。このディジタルカウンター４１は、リール３０の回転数を長さに変換し、その数値をディジタル的に表示する公知のカウンターであって、リール３０の側面に埋設された被検知部材３０ａをブラケット４２に設けられたセンサー４１ａが検知し、リール３０の回転信号をリード線４１ｂを介してディジタルカウンター４１の本体内に取り入れ、内部の処理手段によりリール３０の回転数を長さに変換し、その数値を表示部４１ｃにディジタル表示するように構成されたものである。なお、この表示部４１ｃは前述した箱体２１の表示窓２２と一致する位置に配置されいて、練習者Ｍがここに表示される数値を読み取ることができるようになっている。
【００２４】
次に、以上のとおり構成された本練習具２０の使用方法、及びこの練習具を用いたスイング軌道の練習方法について説明する。先ず、練習に際し練習具２０をティーショットの可能な場所に載置し、図３（ａ）に示すように、マット２６を展開してティーＴ及びボールＢをセットする。一方、検知部材１７を、図２（ａ）に示すように、用いるクラブ１０のグリップ１６部分に装着すると共に、紐状体２８を透孔２３より繰出し、この先端に結び付けられたストッパー２９を粘着テープによりクラブヘッド１１の裏面又は側面に固定する。なお、この検知部材１７は、練習者Ｍが既にスイングプレーン軌道をマスターしている場合には不要であることはいうまでもない。
【００２５】
以上の準備が完了した後、練習者Ｍはショットに入る。このショットに際し、検知部材１７が装着されたクラブ１０がアドレス位置からバックスイングを経て振り上げられると、図６に示すように、紐状体２８がクラブヘッド１１の移動に伴い箱体２１の透孔２３から繰り出され、クラブヘッド１１がトップ位置に達すると紐状体２８の繰り出しが停止される。上述した検知部材１７は、すでに提案されているように、このスイング過程において紐状体２８が目盛板１７ｄを横切るようにクラブ１０に装着されているので、練習者Ｍはこのときの紐状体２８の接触位置を自分の目で読み取ることにより、自分のスイングがスイングプレーンＰの模擬的位置にあるか、それとも外側、あるいは内側にどの位ズレているかを知ることができる。
【００２６】
なお、このようにバックスイングにおけるスイングプレーンＰをマスターすれば、上述したように、ダウンスイング及びフォロースルーはトップオブスイングから遠心力を利用した自然の振り下ろし及びインパクトからの自然な振り抜きであるので、フォロースルー時における紐状体２８の検知部材１７に対する接触位置はバックスイング時と逆になっていることを自分で目視することができる。
【００２７】
上述した一連のスイング時において、練習具２０の表示窓２２には箱体２１から繰り出された紐状体２８の長さがディジタル表示される。先ず、クラブヘッド１１がアドレス位置からトップ位置に移動し停止すると、この長さ、すなわちトップオブスイングアークの長さがディジタルカウンター４１により算出されて表示される。練習者Ｍはこの数値を自分の目で読み取って、用いたクラブ１０の種類（長さ）に対する飛球方向とその距離とから、自分が今したスイングのトップ位置が最適か否かを判断することができる。同様に、フォロースルーを経てフィニッシュに至り、クラブヘッド１１が停止した場合の長さ、すなわちフィニッシュスイングアークの長さも表示窓２２に数値をもって表示される。なお、表示される両者の長さは同一であることが望ましく、練習者Ｍはこのような練習を次のように繰り返し行うことにより、この値に近づけることができる。一連のスイングを終え、クラブヘッド１１をトップ位置からアドレス位置に戻すと、紐状体２８は緊張が解除されてぜんまいばね３４の復元力により回転されるリール３０に巻き取られる。なお、練習を終了する場合には、上述した準備作業を逆に行えばよい。
【００２８】
上述したように、ボールＢの飛距離及び方向は、スイングプレーンに沿ったスイングアークの長さにより左右され、このスイングアークの長さ（トップオブスイングアーク及びフィニッシュアークの長さ）は練習者Ｍの身長、及び用いるクラブの種類（長さ）によって変わってくるために、スイング軌道の練習も、これらの要因を考慮して行うことが上達の近道ということができる。下記の表１はこのスイング軌道練習方法の一例を示したものである。
【００２９】
【表１】
0004587422.tif 000002
【００３０】
すなわち、表１は、スイング軌道練者自身の身長（センチメートル）と用いるクラブの種類（長さ：インチ）に対し、ショット毎に、飛距離及びその方向を加味してスイングアークの長さ（センチメートル）、すなわちクラブヘッド１１のトップ位置及びフィニッシュ位置、を上述した練習具２０から読み取ってデータ化し、このようにして得たデータに基づき、その練習者にとって最も好ましいスイングアークの長さを決定してその数値を模擬的に示したものである。なお、この表１に、上述したスイングプレーンＰの軌道位置を検知手段１７から読み取った数値を含めるようにすれば、練習者にとって最も好ましいスイングプレーンの軌道位置についても表１から認識することができるので、とくにスイングの基本技術を初歩からマスターしようとする初心者にとっては有効である。
【００３１】
以上、本発明に係るクラブのスイング軌道練習具及びこの練習具を用いた軌道練習方法を一実施形態に基づき説明したが、本発明はこれに限られるものではなく、その構成に関し次のような変更が可能である。
【００３２】
先ず、紐状体２８を巻装する部材をリール３０と呼称したが、このほか、例えば糸車あるいは巻取りローラ等の巻取り体がこれに含まれることはいうまでもない。
【００３３】
また、紐状体２８をリール３０に巻き取る手段としてぜんまいばね３４を用いた機械的な手段としたが、例えば支軸３２に小型モータを装着してリール３０を電気的に回転させて巻き取るようにすることも可能である。この場合には、前者に比べ、構造がやや複雑化して製作コストが若干アップする可能性はあるが、紐状体２８を確実にリール３０に巻き取ることができる。
【００３４】
また、スイングアークの長さを表示する手段として、ディジタルカウンター４１を用いたが、これを、例えば支軸３２に装着したプーリーを介して回転を上方に設置した公知の機械式カウンターに伝え、このカウンターにより回転数をアナログ的に表示するようにしてもよい。また、紐状体２８そのものにも、一定長さ毎に印あるいは数値を表示するようにしておくことも有効である。
【００３５】
なお、練習具２０に備えられるマット２６は、必要に応じ、練習者Ｍのスタンスをとる足の位置まで延ばして設けてもよく、逆に不要であれば取り除いてもよい。前者の場合には、アドレス位置に水溜りや泥があっても練習ができる利点がある。
【００３６】
【発明の効果】
以上に詳述したように、本発明に係るスイング軌道練習用具及びこれを用いた練習方法によれば、スイング軌道練習者は、自分にとって最適なスイングプレーンの軌道を認識しつつ、このスイングプレーンに沿った最適なスイングアークの長さを自らの目で確認しながら練習をすることができるので、スイングの基本技術、すなわちボールを目標に向かって正確に飛ばすための基本技術、を容易かつ短期間にマスターすることができる。
【００３７】
また、スイング軌道練習用具そのもがコンパクト、かつ携帯可能に構成されているので、練習者は手軽に持ち運びができる。
【図面の簡単な説明】
【図１】ゴルフクラブのスイング軌道練習用具を用いてスイング練習をしている状況を説明する斜視図である。
【図２】本発明の実施に用いられるゴルフクラブの構造を示す図であって、（ａ）は正面図、（ｂ）は右側面図、（ｃ）は平面図である。
【図３】本発明の一実施形態であるスイング軌道練習用具の構成を示す図であって、（ａ）はその全体を示す斜視図、（ｂ）は（ａ）のＡ−Ａ断面図、（ｃ）は側面図である。
【図４】図３（ｂ）のＢ−Ｂ断面矢視図である。
【図５】図３（ｂ）のＣ−Ｃ断面矢視図である。
【図６】バックスイング時の検知部材と紐状体との関係を示す図である。
【符号の説明】
１０        ゴルフクラブ
１１        クラブヘッド
１２        フェイス
１６        グリップ
１７        検知部材
１７ａ      蝶ねじ
１７ｂ      ホルダー
１７ｃ      帯状部材
１７ｄ      目盛板
２０        スイング軌道練習用具
２１        箱体
２２        表示窓
２３        透孔
２５        把手
２６        マット
２８        紐状体
２９        ストッパー
３０        リール
３２        支軸
３３        軸受
３４        ぜんまいばね
３７        カムローラ
３９        板ばね
４１        ディジタルカウンター
４１ａ      センサー
４１ｃ      表示部
【図１】
0004587422.tif 000003
【図２】
0004587422.tif 000004
【図３】
0004587422.tif 000005
【図４】
0004587422.tif 000006
【図５】
0004587422.tif 000007
【図６】
0004587422.tif 000008